(57)【要約】【課題】通常の物干ロープにハンガーを懸架せしめるときに、ハンガーのフック部を物干ロープに引き掛けていく操作により、そのフック部が物干ロープに対して、係止されるようにする。【解決手段】ハンガー（Ａ）の主体部（ａ）の頂部から立ち上がるフック部（１）の上周縁部の左右の中間部位に、内周面が、そのフック部（１）の内周面に連続して外周側に縊れ込む縊れ部（１０）を形設し、フック部（１）の内周側には、前記縊れ部（１０）により囲い込まれる空間を左右に仕切る角状アーム（４）を、弾性を具備する素材により成形して配位し、それの基端側をフック部（１）に対し固定して、遊端となる上端側が素材の弾性により縊れ部（１０）内周の空間を左右に可動とし、かつ、その先端側と前記縊れ部（１０）の内周面（ｗ）との間隔寸法（Ｄ−１）が、通常の物干ロープ（Ｒ）の外径寸法よりも狭くなるように設定してフック部（１）に装設する。【選択図】　　　　図６
2004135861.tif 000002
【特許請求の範囲】
【請求項１】
ハンガー（Ａ）の主体部（ａ）の頂部から立ち上がるフック部（１）の上周縁部の左右の中間部位に、内周面が、そのフック部（１）の内周面に連続して外周側に縊れ込む縊れ部（１０）を形設し、フック部（１）の内周側には、正面視において、前記縊れ部（１０）により囲い込まれる空間を左右に仕切る角状アーム（４）を、弾性を具備する素材により成形して配位し、それの基端側をフック部（１）に対し固定して、遊端となる上端側が素材の弾性により縊れ部（１０）内周の空間を左右に可動となり、かつ、その先端側とこれに対向する前記縊れ部（１０）の内周面（ｗ）との間隔寸法（Ｄ−１）が、常態において、通常の物干ロープ（Ｒ）の外径寸法よりも狭くなるように設定してフック部（１）に装設することを特徴とする物干用のハンガー。
【請求項２】
フック部（１）の内周側には、それに装設せる角状アーム（４）の下位に、上部アーム（２０）と下部アーム（２１）とが一端側において閉じ合わされるよう連結して他端側が開放する略Ｖ字形をなし、その開放側の上部アーム（２０）と下部アーム（２１）との対向間隔（Ｄ−２）を通常の物干ポール（Ｐ）の外径寸法（ｙ）より狭く設定したＶ型アーム（２）を、弾性を具備する素材により成形して配位し、それの上部アーム（２０）と下部アーム（２１）との連結部を支軸（３）により上下に自在に回動するようフック部（１）に軸支せしめることを特徴とする請求項１記載の物干用のハンガー。
【請求項３】
ハンガー（Ａ）の主体部（ａ）の頂部から立ち上がるフック部（１）の上周縁部の左右の中間部位に、内周面がそのフック部（１）の内周面に連続して外周側に縊れ込む縊れ部（１０）を形設し、フック部（１）の内周側には、上部アーム（２０）と下部アーム（２１）とが一端側において閉じ合わされるように連結して他端側が開放する略Ｖ字状をなし、その開放側の上部アーム（２０）と下部アーム（２１）との対向間隔（Ｄ−２）を通常の物干ポール（Ｐ）の外径寸法（ｙ）よりも狭く設定したＶ型アーム（２）を、弾性を具備する素材により成形して配位し、それの上部アーム（２０）と下部アーム（２１）との連結部に設ける支軸（３）により、上下に自在に回動するようフック部（１）に軸支し、このＶ型アーム（２）の上部アーム（２０）の先端側に、このＶ型アーム（２）の上方回動により正面視において、フック部（１）の上周縁部に設けた縊れ部（１０）の内周側に臨む位置を占める角状アーム（４）を、一体に連続させて装設し、フック部（１）の上周縁側には、Ｖ型アーム（２）の上方回動を、角状アーム（４）が縊れ部（１０）の内周側に臨む位置において停止させるストッパ（Ｓ）を設け、かつ、この回動停止位置における角状アーム（４）と縊れ部（１０）の内周面（ｗ）との対向する間隔寸法（Ｄ−１）が、通常の物干ロープ（Ｒ）の外径寸法よりも狭くなるように設定しておくことを特徴とする物干用のハンガー。
【発明の詳細な説明】
【０００１】
【発明が属する技術分野】
本発明は、洗濯した衣服類を懸架したハンガーを、物干場に設けた物干ポールまたは物干ロープに引き掛けて吊り下げたときに、洗濯物が風であおられても、ハンガーが物干ポールまたは物干ロープから外れて飛ばされることのないように、ハンガーを物干ポールまたは物干ロープに対し係止せしめる係止装置付きの物干用のハンガーに関する。
【０００２】
【従来の技術】
洗濯物を懸架したハンガーを物干ポールに引き掛けたとき、そのハンガーが物干ポールに係着した状態に対し動かないように係止させる手段としては、例えば特許第２９４９０６号の公報にある手段がある。
【０００３】
この手段は、図１に示すように、ハンガーＡの主体部ａの頂部に設けたフック部１に、上下に並列する上部アーム２０と下部アーム２１とが一端側において閉じ合わされるように連結し他端側において上下に開放する横向きの略Ｖ字形をなす形状に形成したＶ型アーム２を、それのかなめとなる上部アーム２０と下部アーム２１との閉じ合わされた連結部に設ける支軸３により、上下に回動するように連結して、そのＶ型アーム２が、常態において、自重により、図２にあるようにそのフック部１の正面視において、上部アーム２０がフック部１の内周側の空間を横切り下部アーム２１がフック部１に沿う下向きの略Ｖ字形をなす姿勢を保持するようにしておき、このハンガーＡのフック部１を物干ポールＰに掛けることで、物干ポールＰが図２において鎖線に示しているように、Ｖ型アーム２の上部アーム２０と下部アーム２１の対向する間隔内に嵌入して、そのＶ型アーム２がハンガーＡおよびそれに懸架した洗濯物の重量により、上部アーム２０を押し上げるよう、支軸３中心に図２において時計回りに回動し、それにより、図３にあるように、下部アーム２１と上部アーム２０とで抱き込んだ物干ポールＰを、Ｖ型アーム２を成形している合成樹脂材または金属材が具備する弾性により、フック部１の内周面側に向けて押し出し、その物干ポールＰをフック部１の内周面に圧接させて、ハンガーＡを物干ポールＰに対し、それの長手方向に動かないよう係着させる手段である。
【０００４】
また、ハンガーＡを物干ロープＲに対して係止せしめる手段としては、物干ロープＲを図４にあるように、ハンガーＡのフック部１を通す目穴ｒを具備する形態のものに作っておき、そこに、フック部１を通して吊り下げることで、この目穴ｒにより物干ロープＲに対しそれの長手方向に動かないよう係止する手段が知られている。
【０００５】
【発明が解決しようとする課題】
洗濯物を掛けたハンガーを、物干ロープに引き掛けて吊り下げたときに、洗濯物が風にあおられても飛ばされないようにするには、特殊な構造を具備する物干ロープを用いなければならず、通常の物干ロープに吊り下げるときには、別にクリップなどの係止手段を施さなければならない厄介な問題がある。
【０００６】
また、ハンガーを物干ポールに懸架したときに、それのフック部を物干ポールに対して係止せしめる係止手段を具備せしめたハンガーはあるが、このハンガーも、物干ポールに対してだけ係止し得るもので、物干ロープに懸架するときには、別にクリップなどの係止手段が必要になる。
【０００７】
このため、従前にあっては、物干ロープと物干ポールの両方を使う場合には、風にあおられても飛ばされないようにするには、物干ポールに対し係止し得る係止手段を具備するハンガーと、特殊な構造の物干ロープとを用意しておかなければならない厄介な問題がある。
【０００８】
本発明は、従前手段に生じているこの問題を解消せしめるためになされたものであって、通常の物干ロープにハンガーを懸架せしめるときに、ハンガーのフック部を物干ロープに引き掛けていく操作により、そのフック部が物干ロープに対して、係止されるようになる係止手段を具備するハンガーを提供すること、および、これに併せて、通常の物干ロープおよび通常の物干ポールの何れにも係着状態として懸架し得るようになる係止手段付きのハンガーを提供することを目的とするものである。
【０００９】
【課題を解決するための手段】
そして、本発明においては、上述の目的を達成するための手段として、請求項１に記載したように、ハンガーＡの主体部ａの頂部から立ち上がるフック部１の上周縁部の左右の中間部位に、内周面が、そのフック部１の内周面に連続して外周側に縊れ込む縊れ部１０を形設し、フック部１の内周側には、正面視において、前記縊れ部１０により囲い込まれる空間を左右に仕切る角状アーム４を、弾性を具備する素材により成形して配位し、それの基端側をフック部１に対し固定して、遊端となる上端側が素材の弾性により縊れ部１０内周の空間を左右に可動となり、かつ、その先端側とこれに対向する前記縊れ部１０の内周面ｗとの間隔寸法Ｄ−１が、常態において、通常の物干ロープＲの外径寸法よりも狭くなるように設定してフック部１に装設することを特徴とする物干用のハンガーを提起するものである。
【００１０】
また、これに併せて、請求項２に記載した、フック部１の内周側には、それに装設せる角状アーム４の下位に、上部アーム２０と下部アーム２１とが一端側において閉じ合わされるよう連結して他端側が開放する略Ｖ字形をなし、その開放側の上部アーム２０と下部アーム２１との対向間隔Ｄ−２を通常の物干ポールＰの外径寸法ｙより狭く設定したＶ型アーム２を、弾性を具備する素材により成形して配位し、それの上部アーム２０と下部アーム２１との連結部を支軸３により上下に自在に回動するようフック部１に軸支せしめることを特徴とする請求項１記載の物干用のハンガー。
および、請求項３に記載した、ハンガーＡの主体部ａの頂部から立ち上がるフック部１の上周縁部の左右の中間部位に、内周面がそのフック部１の内周面に連続して外周側に縊れ込む縊れ部１０を形設し、フック部１の内周側には、上部アーム２０と下部アーム２１とが一端側において閉じ合わされるように連結して他端側が開放する略Ｖ字状をなし、その開放側の上部アーム２０と下部アーム２１との対向間隔Ｄ−２を通常の物干ポールＰの外径寸法ｙよりも狭く設定したＶ型アーム２を、弾性を具備する素材により成形して配位し、それの上部アーム２０と下部アーム２１との連結部に設ける支軸３により、上下に自在に回動するようフック部１に軸支し、このＶ型アーム２の上部アーム２０の先端側に、このＶ型アーム２の上方回動により正面視において、フック部１の上周縁部に設けた縊れ部１０の内周側に臨む位置を占める角状アーム４を、一体に連続させて装設し、フック部１の上周縁側には、Ｖ型アーム２の上方回動を、角状アーム４が縊れ部１０の内周側に臨む位置において停止させるストッパＳを設け、かつ、この回動停止位置における角状アーム４と縊れ部１０の内周面ｗとの対向する間隔寸法Ｄ−１が、通常の物干ロープＲの外径寸法よりも狭くなるように設定しておくことを特徴とする物干用のハンガーを提起するものである。
【００１１】
【発明の実施の形態】
次に実施の態様を説明する。
本発明手段による係止装置付きの物干用のハンガーＡは、それのハンガー自体の基本的な形態については、洗濯した衣服類を懸架する主体部ａと、下向きの彎曲するかぎ状に成形して前記主体部ａの頂部から立ち上がるように設けるフック部１とにより、通常のハンガーと同様に形成する。
【００１２】
このとき、それの主体部ａは、図５に示しているように、通常の衣服を掛けるハンガーの主体部と同様の形状に作ってよく、また、靴下等の小物の洗濯物を吊り下げる多数のクリップ付きのものとするなど適宜の形状・構造のものに形成してよい。
【００１３】
また、ハンガーＡの主体部ａの頂部に、そこから立ち上がるように設けるフック部１にあっては、下向きの弧状に彎曲するかぎ状に成形すること、および、このフック部１を主体部ａとは別体に形成してそれの基端側を主体部ａの頂部に接続することで、主体部ａの頂部から立ち上がるようにその頂部に装設するか、主体部ａを成形する素材により主体部ａと一体に連続させた形態のものとして装設するなど、従前の通常のハンガーのフック部と同様に形成してよい。
【００１４】
このハンガーＡの主体部ａおよびフック部１の成形は、図５に示している実施例のように、弾性を具備する合成樹脂材を用いて、鋳型により成形するか、鋼線等の弾性を有する金属線材の屈曲成形により行なうなど、従前のハンガーと同様に適宜の素材を用いて成形してよい。
【００１５】
しかし、このように形成するハンガーＡには、それの主体部ａの頂部から立ち上がるフック部１の上周縁部の左右の中間部位に、内周面が、そのフック部１の内周面に連続して外周側に突出するように縊れ込む縊れ部１０を形設する。
【００１６】
そして、このフック部１の内周側には、正面視において、そのフック部１により囲い込まれる内周側の空間を、左右に仕切る角状アーム４を、弾性を具備する素材により成形して配位し、その角状アーム４の下端側を、フック部１に連結してフック部１に対し固定支持せしめ、その角状アーム４の遊端となる上端側が、正面視において、前述のフック部１に設けた縊れ部１０の内周側の空間と略ラップする位置に臨んでくるようにする。
【００１７】
このとき、この角状アーム４の下端側のフック部１に対する連結・固定は、その角状のアーム４およびフック部１を弾性を有する合成樹脂のプラスチック材で成形する場合にあっては、一体に連続させて成形することで行ってよい。また、弾性を具備する金属材で、角状アーム４およびフック部１を成形する場合にあっては、熔接により連結するか、角状アーム４の基端側をフック部１に緊縛して固着することで行ってよい。
【００１８】
そして、このように装設する角状アーム４は、常態において、それの遊端となる上端側とそれに対向する縊れ部１０の内周面ｗとの間隔寸法Ｄ−１が、通常の物干ロープＲの外径よりも狭くなるように設定して装設しておき、物干ロープＲが縊れ部１０内に嵌入してきたときに、その物干ロープＲを、角状アーム４の上端側と縊れ部１０の内周面ｗとの間で挟み込んで、角状アーム４の弾性により、図５において鎖線に示しているよう物干ロープＲを押し潰すように挟持する状態となるようにする。
【００１９】
これによって、ハンガーＡは、それをフック部１により物干ロープＲに引き掛けたとき、ハンガーＡに懸架した洗濯物の重量およびハンガーＡ自体の重量および引き掛ける操作を行うときの負荷により、ハンガーＡが物干ロープＲに対して下降することで、物干ロープＲが角状アーム４を撓曲させながら縊れ部１０内に嵌入して、角状アーム４と縊れ部１０の内周面ｗとの間に挟持されるようになって、ハンガーＡが物干ロープＲに対し係着された状態となるようにする。
【００２０】
ハンガーＡは、物干ロープＲに対し、係着していくだけでよい、とする場合には、上述した如く、フック部１の上周縁部に縊れ部１０を設けて、それの内周側に正面視においてラップしていく角状アーム４を設けた構造のものとしてハンガーＡの製品とするが、さらに、物干ポールＰに対しても係着していくようにする場合には、図５にあるように、略フック部１の内周側を横切る長さとした上部アーム２０と下部アーム２１とが、それらの一端側において閉じ合わされるように連結して他側が開放する略Ｖ字形をなし、その開放側の上部アーム２０と下部アーム２１との対向間隔Ｄ−２を通常の物干ポールＰの外径寸法ｙより狭く設定したＶ型アーム２を、弾性を具備する素材により成形して、このＶ型アーム２を、図５にあるようにフック部２の内周の空間内に配位し、これの上部アーム２０と下部アーム２１とが連結するかなめとなる部位に設ける軸支部２２とフック部１の立ち上がり部１ａまたは遊端部１ｂに設けておく軸支部１１とを接合し、支軸３により軸支して、このＶ型アーム２が支軸３中心に上下に自在に回動するようフック部１に装設する。
【００２１】
そして、これにより、常態においては、このＶ型アーム２が、それ自体の重量により図６にあるよう下降回動して、上部アーム２０と下部アーム２１との開放側が、フック部１の立ち上がり部１ａと遊端部１ｂとの間に形成される開放口を介しフック部１の外部に対し開放し、かつ、この状態において上部アーム２０がフック部１の内周側の空間を横切る姿勢となるようにしておく。
【００２２】
このように構成したハンガーＡは、洗濯物を懸架して、フック部１を物干ポールＰに引き掛けていくと、物干ポールＰがフック部１に相対的に上昇することで、Ｖ型アーム２に嵌合した状態でそのＶ型アーム２を支軸３中心に上向きに回動させながら上昇して前述の図５の状態となり、Ｖ型アーム２の上部アーム２０と下部アーム２１の弾性により物干ポールＰがフック部１の内周面に押し付けられるようになって物干ポールＰに対しハンガーＡが係着されるようになる。
【００２３】
また、ハンガーＡを物干ロープＲに引き掛けていくときは、ハンガーＡに対し相対的に上昇する物干ロープＲが、Ｖ型アーム２の上部アーム２０に接して、これを支軸３中心に回動させ、それによってＶ型アーム２を上方に通過した物干ロープＲが縊れ部１０内に嵌入していくことで、図９にあるように角状アーム４と縊れ部１０の内周面ｗとで、挟持されるようになって、物干ロープＲにハンガーＡが係着した状態となっていく。
【００２４】
次に図７は、本発明手段の別の実施例を示している。
この例は、フック部１の上周縁部に形設する縊れ部１０に対応させる角状アーム４を、フック部１に支軸３により上下に回動自在に軸支しておくＶ型アーム２の上部アーム２０の上端側に、一体に連続させて装設するようにした例である。
【００２５】
この例のハンガーＡは、フック部１を、合成樹脂材のプラスチック材により成形している例であり、その成形の際、フック部１には、それの遊端部１ｂに、図８にあるよう正面視において馬蹄形をなす軸穴を具備する軸支部１１を形設しておき、また、フック部１に支軸３により軸支するＶ型アーム２も、合成樹脂のプラスチック材で成形し、その成形の際に、上部アーム２０と下部アーム２１との連結部に設ける軸支部２２を成形により形設し、かつ、その軸支部２２には図８にあるように支軸３を一体に成形しておいて、この支軸３をフック部１に設けた馬蹄形の軸支部１１の軸穴に押し込んで嵌合することで、その支軸３によりフック部１に上下に回動自在に軸支させてある。
【００２６】
そして、このＶ型アーム２の上部アーム２０には、それを先端側に延長して、その延長部により角状アーム４を一体に連続させて成形するようにしている。
【００２７】
そしてまた、フック部１にには、このＶ型アーム２が上方に回動して、上部アーム２０に連続させて設けた角状アーム４が、図７にあるよう正面視において縊れ部１０の内周側の空間に臨む位置を占めるようになったときに、その位置よりの上方回動をストップさせるストッパＳが装設してあって、これにより物干ロープＲが縊れ部１０内に嵌入したきたときに、その物干ロープＲが、支軸３中心の回動がストッパＳにより規制されている角状アーム４と縊れ部１０の内周面ｗとの間隔内に、無理に押し入るようになることで、角状アーム４をそれの弾性により撓曲させながら縊れ部１０の内周面ｗとの間隔内に嵌入していき、角状アーム４の復元力によって縊れ部１０の内周面ｗに押圧されて係着していくようにしている。
【００２８】
【発明の効果】
以上説明したように、本発明による物干用のハンガーＡは、フック部１の上周縁部に形設した縊れ部１０とそれの内周面ｗに対向する角状アーム４とにより物干ロープＲに係着させるようにしていることから、ハンガーＡを物干ロープＲに引き掛けていく操作により物干ロープＲと係着していくようになる。
【００２９】
また、フック部１に縊れ部１０と角状アーム４とを装備せしめると共にＶ型アーム２を装備せしめたハンガーＡにあっては、物干ロープＲと物干ポールＰの両方に、係着状態に懸架せしめ得るようになる。
【図面の簡単な説明】
【図１】従前の物干ポールに対する係止装置付きの物干用のハンガーの正面図である。
【図２】同上のハンガーのＶ型アームが自重により下降回動している状態の正面図である。
【図３】同上のハンガーの物干ポールに懸架した状態時の正面図である。
【図４】従前のハンガーに対する係止手段付きの物干ロープの正面図である。
【図５】本発明手段を実施せるハンガーの斜視図である。
【図６】同上ハンガーの作用の説明図である。
【図７】同上ハンガーの別の実施例の斜視図である。
【図８】同上ハンガーの実施例の組立途上の斜視図である。
【図９】同上ハンガーの物干ロープに懸架したときの要部の斜視図である。
【符号の説明】
Ａ…ハンガー、ａ…主体部、Ｄ−１・Ｄ−２…間隔寸法、Ｐ…物干ポール、Ｒ…物干ロープ、Ｓ…ストッパ、ｒ…目穴、ｗ…内周面、ｙ…外径寸法、１…フック部、１ａ…立ち上がり部、１ｂ…遊端部、１０…縊れ部、１１…軸支部、２…Ｖ型アーム、２０…上部アーム、２１…下部アーム、２２…軸支部、３…支軸、４…角状アーム。
【図１】
2004135861.tif 000003
【図２】
2004135861.tif 000004
【図３】
2004135861.tif 000005
【図４】
2004135861.tif 000006
【図５】
2004135861.tif 000007
【図６】
2004135861.tif 000008
【図７】
2004135861.tif 000009
【図８】
2004135861.tif 000010
【図９】
2004135861.tif 000011